(57)【要約】【課題】ユーザが携帯用機器を用いて外部機器のスクリーン上にディスプレイされた情報を迅速に探索すること。【解決手段】外部機器のスクリーン上にディスプレイされた情報を探索するタッチスクリーンを含む携帯用機器およびその情報探索方法が提供される。本タッチスクリーンを含む携帯用機器が外部機器のスクリーン上にウェブページを探索する方法は、タッチスクリーン上に外部機器のスクリーン上に表示されたウェブページに含まれたリンク領域を表示し、タッチスクリーン上にユーザの第１ジェスチャーに応答し、タッチスクリーン上に表示されたリンク領域を拡大し、拡大されたリンク領域上にユーザの第２ジェスチャーに応答し、リンク領域に連結されたウェブページを外部機器のスクリーン上に表示する情報を外部機器に伝送する。【選択図】図２Ａ
2013229026.tif 000002
【特許請求の範囲】
【請求項１】
タッチスクリーンを含む携帯用機器が外部機器のスクリーン上にウェブページを探索する方法において、
前記タッチスクリーン上に前記外部機器のスクリーン上に表示されたウェブページに含まれたリンク領域を表示するステップと、
前記タッチスクリーン上にユーザの第１ジェスチャーに応答し、前記タッチスクリーン上に表示されたリンク領域を拡大するステップと、
前記拡大されたリンク領域上にユーザの第２ジェスチャーに応答し、前記リンク領域に連結されたウェブページを前記外部機器のスクリーン上に表示する情報を前記外部機器に伝送するステップと
を含む外部機器のスクリーン上にウェブページを探索する方法 。
【請求項２】
前記リンク領域を表示するステップは、
前記タッチスクリーン上に前記外部機器のスクリーン上に表示された前記リンク領域を含むウェブページの一部を表示するステップを更に含むことを特徴とする請求項１に記載の外部機器のスクリーン上にウェブページを探索する方法 。
【請求項３】
前記外部機器のスクリーン上に表示する情報を前記外部機器に伝送するステップは、
前記ユーザの第２ジェスチャーに関する情報または前記リンク領域に関する情報を前記外部機器に伝送するステップを含むことを特徴とする請求項１に記載の外部機器のスクリーン上にウェブページを探索する方法 。
【請求項４】
前記タッチスクリーン上で一方向に移動するユーザの第３ジェスチャーを検知するステップと、
前記ユーザの第３ジェスチャーに応答し、前記外部機器のスクリーン上に表示されたウェブページを前記一方向と同様の方向に移動する情報を前記外部機器に伝送するステップと
を含むことを特徴とする請求項１に記載の外部機器のスクリーン上にウェブページを探索する方法 。
【請求項５】
前記タッチスクリーン上で一方向に移動するユーザの第４ジェスチャーを検知するステップと、
前記ユーザの第４ジェスチャーに応答し、前記タッチスクリーン上にウェブページの一部に対応する前記外部機器上に仮想ウィンドウを、前記一方向または前記一方向の反対方向に移動する情報を前記外部機器に伝送するステップと
を含むことを特徴とする請求項１に記載の外部機器のスクリーン上にウェブページを探索する方法 。
【請求項６】
前記携帯用機器のタッチスクリーンの大きさは、前記外部機器のスクリーンの大きさより小さいことを特徴とする請求項１に記載の外部機器のスクリーン上にウェブページを探索する方法 。
【請求項７】
前記第１ジェスチャーは、二つのタッチ地点の距離が遠くなるスプレッドジェスチャーであり、
前記第２ジェスチャーは、前記リンク領域をタッチするタップジェスチャーであることを特徴とする請求項１に記載の外部機器のスクリーン上にウェブページを探索する方法 。
【請求項８】
外部機器のスクリーン上にウェブページを探索するための携帯用機器において、
タッチスクリーンと、
外部機器と通信を行う通信部と、
前記タッチスクリーン上に前記外部機器のスクリーン上に表示されたウェブページに含まれたリンク領域を表示し、前記タッチスクリーン上にユーザの第１ジェスチャーに応答し、前記タッチスクリーン上に表示されたリンク領域を拡大するように前記タッチスクリーンを制御し、前記拡大されたリンク領域上にユーザの第２ジェスチャーに応答し、前記リンク領域に連結されたウェブページを前記外部機器のスクリーン上に表示する情報を前記外部機器に伝送するように前記通信部を制御するプロセッサと
を含む携帯用機器。
【請求項９】
前記プロセッサは、
前記タッチスクリーン上に前記外部機器のスクリーン上に表示された前記リンク領域を含むウェブページの一部を表示するように前記タッチスクリーンを制御することを特徴とする請求項８に記載の携帯用機器。
【請求項１０】
前記プロセッサは、
前記ユーザの第２ジェスチャーに関する情報または前記リンク領域に関する情報を前記外部機器に伝送するように前記通信部を制御することを特徴とする請求項８に記載の携帯用機器。
【請求項１１】
前記プロセッサは、
前記タッチスクリーン上で一方向に移動するユーザの第３ジェスチャーが検知されると、前記ユーザの第３ジェスチャーに応答し、前記外部機器のスクリーン上に表示されたウェブページを前記一方向と同様の方向に移動する情報を前記外部機器に伝送するように前記通信部を制御することを特徴とする請求項８に記載の携帯用機器。
【発明の詳細な説明】
【技術分野】
【０００１】
本発明は、外部機器のスクリーン上にディスプレイされた情報を探索するタッチスクリーンを含む携帯用機器およびその情報探索方法に関し、より詳細には、携帯用機器のタッチスクリーン上にユーザのジェスチャーに応じて外部機器のスクリーン上にディスプレイされた情報を探索する方法に関する。
【背景技術】
【０００２】
外部機器（例えば、デジタルテレビまたはパソコン（Ｐｅｒｓｏｎａｌ  Ｃｏｍｐｕｔｅｒ）のスクリーン上にディスプレイされた情報を遠距離から探索するために、ユーザは４方向ボタンを備えたリモコンを利用していた。例えば、外部機器のスクリーン上に特定領域を選択するために、外部機器スクリーン上にディスプレイされたポインタを利用する場合、ユーザはリモコンの４方向ボタンを数回繰り返し選択してポインタを特定領域まで移動させ、特定領域上でリモコンの選択ボタンを選択して特定領域に連結された情報が外部機器のスクリーン上にディスプレイされるようにした。
【０００３】
この場合、ユーザはポインタを特定領域まで移動するために、リモコンの４方向キーを繰り返し交互に選択しなければならないという不都合があった。よって、ユーザがより便利に外部機器のスクリーン上にディスプレイされた情報を遠距離から探索するための装置および方法が求められる。
【先行技術文献】
【特許文献】
【０００４】
【特許文献１】韓国特開第２００８−００６４２４６号公報
【特許文献２】韓国特開第２０１０−０１２９３９８号公報
【特許文献３】日本特開第２００８−００４２４８１号公報
【特許文献４】韓国特開第２０１０−０１０２８６８号公報
【発明の概要】
【発明が解決しようとする課題】
【０００５】
そこで、本発明は、上記問題に鑑みてなされたものであり、本発明の目的とするところは、タッチスクリーンを含む携帯用機器を用いて、外部機器のスクリーン上にディスプレイされた情報を迅速に探索することにある。特に、外部機器のスクリーン上にディスプレイされた情報を携帯用機器のタッチスクリーン上に提供することにより、ユーザが携帯用機器を用いて外部機器のスクリーン上にディスプレイされた情報を迅速に探索するようにすることができる。
【課題を解決するための手段】
【０００６】
前記目的を達成するための本発明の一実施形態に係るタッチスクリーンを含む携帯用機器が外部機器のスクリーン上にウェブページを探索する方法は、前記タッチスクリーン上に前記外部機器のスクリーン上に表示されたウェブページに含まれたリンク領域を表示するステップと、前記タッチスクリーン上にユーザの第１ジェスチャーに応答し、前記タッチスクリーン上に表示されたリンク領域を拡大するステップと、前記拡大されたリンク領域上にユーザの第２ジェスチャーに応答し、前記リンク領域に連結されたウェブページを前記外部機器のスクリーン上に表示する情報を前記外部機器に伝送するステップとを含む。
【０００７】
そして、前記リンク領域を表示するステップは、前記タッチスクリーン上に前記外部機器のスクリーン上に表示された前記リンク領域を含むウェブページの一部を表示するステップを更に含んでよい。
【０００８】
なお、前記外部機器のスクリーン上に表示する情報を前記外部機器に伝送するステップは、前記ユーザの第２ジェスチャーに関する情報または前記リンク領域に関する情報を前記外部機器に伝送するステップを含んでよい。
【０００９】
そして、前記タッチスクリーン上で一方向に移動するユーザの第３ジェスチャーを検知するステップと、前記ユーザの第３ジェスチャーに応答し、前記外部機器のスクリーン上に表示されたウェブページを前記一方向と同様の方向に移動する情報を前記外部機器に伝送するステップとを含んでよい。
【００１０】
なお、前記タッチスクリーン上で一方向に移動するユーザの第４ジェスチャーを検知するステップと、前記ユーザの第４ジェスチャーに応答し、前記タッチスクリーン上にウェブページの一部に対応する前記外部機器上に仮想ウィンドウを、前記一方向または前記一方向の反対方向に移動する情報を前記外部機器に伝送するステップとを含んでよい。
【００１１】
そして、前記携帯用機器のタッチスクリーンの大きさは、前記外部機器のスクリーンの大きさより小さくてよい。
【００１２】
なお、前記第１ジェスチャーは、二つのタッチ地点の距離が遠くなるスプレッドジェスチャーであり、前記第２ジェスチャーは、前記リンク領域をタッチするタップジェスチャーであってよい。
【００１３】
一方、前記目的を達成するための本発明の一実施形態に係るタッチスクリーンを含む携帯用機器が外部機器のスクリーン上にウェブページを探索する方法は、前記タッチスクリーン上に前記外部機器のスクリーン上に表示されたウェブページの一部を表示するステップと、前記タッチスクリーン上にユーザの第１ジェスチャーを検知するステップと、前記検知されたユーザの第１ジェスチャーに応答し、前記外部機器のスクリーン上に表示されたウェブページの一部を拡大する情報を前記外部機器に伝送するステップとを含む。
【００１４】
そして、前記タッチスクリーン上にユーザの第２ジェスチャーを検知するステップと、前記検知されたユーザの第２ジェスチャーに応答し、前記外部機器のスクリーン上に表示されたウェブページの一部を縮小する情報を前記外部機器に伝送するステップとを更に含んでよい。
【００１５】
一方、前記目的を達成するための本発明の一実施形態に係るタッチスクリーンを含む携帯用機器が外部機器のスクリーン上にウェブページを探索する方法は、第１探索モードおよび第２探索モードのいずれか一方のモードを選択するユーザの第１ジェスチャーを入力されるステップと、前記第１探索モードが選択された場合、前記タッチスクリーン上にユーザの第２ジェスチャーに応答し、前記外部機器のスクリーン上に表示されたウェブページを一方向に移動する情報を前記外部機器に伝送し、前記第２探索モードが選択された場合、前記タッチスクリーン上にユーザの第２ジェスチャーに応答し、前記外部機器のスクリーン上に表示されたポインタを一方向に移動する情報を前記外部機器に伝送するステップとを含む。
【００１６】
そして、前記第１探索モードおよび第２探索モードのいずれか一方を選択するユーザの第１ジェスチャーは、二つのタッチ地点を同時にタッチするジェスチャーであってよい。
【００１７】
一方、前記目的を達成するための本発明の一実施形態に係るタッチスクリーンを含む携帯用機器によって制御される外部機器のウェブページ探索方法は、スクリーン上に前記携帯用機器にディスプレイされた画面を含むウェブページをディスプレイするステップと、前記携帯用機器のタッチスクリーン上にユーザの第１ジェスチャーに応答し、前記携帯用機器から前記外部機器のスクリーン上に表示されたリンク領域を含むウェブページを拡大する情報を受信するステップと、前記受信されたウェブページを拡大する情報に応じて、前記スクリーン上に表示された前記リンク領域を含むウェブページを拡大するステップとを含む。
【００１８】
そして、前記携帯用機器のタッチスクリーン上にユーザの第２ジェスチャーに応答し、前記携帯用機器から前記外部機器のスクリーン上に表示された前記リンク領域に連結されたウェブページを前記外部機器のスクリーン上に表示する情報を受信するステップと、前記受信されたリンク領域に連結されたウェブページを前記外部機器のスクリーン上に表示する情報に応じて、前記リンク領域に連結されたウェブページを前記外部機器のスクリーン上に表示するステップとを更に含んでよい。
【００１９】
一方、前記目的を達成するための本発明の一実施形態に係る外部機器のスクリーン上にウェブページを探索するための携帯用機器は、タッチスクリーンと、外部機器と通信を行う通信部と、前記タッチスクリーン上に前記外部機器のスクリーン上に表示されたウェブページに含まれたリンク領域を表示し、前記タッチスクリーン上にユーザの第１ジェスチャーに応答し、前記タッチスクリーン上に表示されたリンク領域を拡大するように前記タッチスクリーンを制御し、前記拡大されたリンク領域上にユーザの第２ジェスチャーに応答し、前記リンク領域に連結されたウェブページを前記外部機器のスクリーン上に表示する情報を前記外部機器に伝送するように前記通信部を制御するプロセッサとを含む。
【００２０】
そして、前記プロセッサは、前記タッチスクリーン上に前記外部機器のスクリーン上に表示された前記リンク領域を含むウェブページの一部を表示するように前記タッチスクリーンを制御してよい。
【００２１】
なお、前記プロセッサは、前記ユーザの第２ジェスチャーに関する情報または前記リンク領域に関する情報を前記外部機器に伝送するように前記通信部を制御してよい。
【００２２】
そして、前記プロセッサは、前記タッチスクリーン上で一方向に移動するユーザの第３ジェスチャーが検知されると、前記ユーザの第３ジェスチャーに応答し、前記外部機器のスクリーン上に表示されたウェブページを前記一方向と同様の方向に移動する情報を前記外部機器に伝送するように前記通信部を制御してよい。
【００２３】
一方、前記目的を達成するための本発明の一実施形態に係る外部機器のスクリーン上にウェブページを探索するための携帯用機器は、タッチスクリーンと、外部機器と通信を行う通信部と、前記タッチスクリーン上に前記外部機器のスクリーン上に表示されたウェブページの一部を表示するように前記タッチスクリーンを制御し、前記タッチスクリーン上にユーザの第１ジェスチャーが検知されると、前記外部機器のスクリーン上に表示されたウェブページの一部を拡大する情報を前記外部機器に伝送するように前記通信部を制御するプロセッサとを含む。
【００２４】
一方、前記目的を達成するための本発明の一実施形態に係る外部機器のスクリーン上にウェブページを探索するための携帯用機器は、タッチスクリーンと、外部機器と通信を行う通信部と、前記第１探索モードを選択するためのユーザの第１ジェスチャーが入力された場合、前記タッチスクリーン上にユーザの第２ジェスチャーに応答し、前記外部機器のスクリーン上に表示されたウェブページを一方向に移動する情報を前記外部機器に伝送するように前記通信部を制御し、前記第２探索モードを選択するためのユーザの第１ジェスチャーが入力された場合、前記タッチスクリーン上にユーザの第２ジェスチャーに応答し、前記外部機器のスクリーン上に表示されたポインタを一方向に移動する情報を前記外部機器に伝送するように前記通信部を制御するプロセッサとを含む。
【００２５】
一方、前記目的を達成するための本発明の一実施形態に係るタッチスクリーンを含む携帯用機器によって制御される外部機器は、前記携帯用機器にディスプレイされた画面を含むウェブページをディスプレイするスクリーンと、前記外部機器と通信を行う通信部と、前記携帯用機器のタッチスクリーン上にユーザの第１ジェスチャーに応答し、前記携帯用機器から前記外部機器のスクリーン上に表示されたリンク領域を含むウェブページを拡大する情報を受信するように前記通信部を制御し、前記受信されたウェブページを拡大する情報に応じて、前記スクリーン上に表示されたウェブページに含まれた前記リンク領域を含むウェブページを拡大するように前記スクリーンを制御するプロセッサとを含む。
【発明の効果】
【００２６】
以上説明したように、本発明によれば、携帯用機器および外部機器を用いて外部機器に表示されたウェブページを検索することにより、ユーザは外部機器のスクリーン上に表示された情報をより迅速かつ便利に探索することができるようになる。
【図面の簡単な説明】
【００２７】
【図１】本発明の一実施形態に係るウェブページ検索システムの構成を示す図である。
【図２Ａ】本発明の多様な実施形態に係る外部機器のウェブページを検索するための携帯用機器のディスプレイ方法を説明するための図である。
【図２Ｂ】本発明の多様な実施形態に係る外部機器のウェブページを検索するための携帯用機器のディスプレイ方法を説明するための図である。
【図３】本発明の一実施形態に係る携帯用機器の多様なモードを説明するための図である。
【図４Ａ】本発明の多様な実施形態に係る携帯用機器を用いて外部機器に表示されたウェブページを検索する方法を説明するための図である。
【図４Ｂ】本発明の多様な実施形態に係る携帯用機器を用いて外部機器に表示されたウェブページを検索する方法を説明するための図である。
【図５Ａ】本発明の多様な実施形態に係る携帯用機器を用いて外部機器に表示されたウェブページを検索する方法を説明するための図である。
【図５Ｂ】本発明の多様な実施形態に係る携帯用機器を用いて外部機器に表示されたウェブページを検索する方法を説明するための図である。
【図６Ａ】本発明の多様な実施形態に係る携帯用機器を用いて外部機器に表示されたウェブページを検索する方法を説明するための図である。
【図６Ｂ】本発明の多様な実施形態に係る携帯用機器を用いて外部機器に表示されたウェブページを検索する方法を説明するための図である。
【図７】本発明の多様な実施形態に係る携帯用機器を用いて外部機器に表示されたウェブページを検索する方法を説明するための図である。
【図８Ａ】本発明の多様な実施形態に係る携帯用機器を用いて外部機器に表示されたウェブページを検索する方法を説明するための図である。
【図８Ｂ】本発明の多様な実施形態に係る携帯用機器を用いて外部機器に表示されたウェブページを検索する方法を説明するための図である。
【図８Ｃ】本発明の多様な実施形態に係る携帯用機器を用いて外部機器に表示されたウェブページを検索する方法を説明するための図である。
【図９】本発明の多様な実施形態に係る携帯用機器および外部機器を用いて外部機器に表示されたウェブページを検索する方法を説明するためのフローチャートである。
【図１０】本発明の多様な実施形態に係る携帯用機器および外部機器を用いて外部機器に表示されたウェブページを検索する方法を説明するためのフローチャートである。
【図１１】本発明の多様な実施形態に係る携帯用機器および外部機器を用いて外部機器に表示されたウェブページを検索する方法を説明するためのフローチャートである。
【図１２】本発明の多様な実施形態に係る携帯用機器および外部機器を用いて外部機器に表示されたウェブページを検索する方法を説明するためのフローチャートである。
【発明を実施するための形態】
【００２８】
以下に添付図面を参照しながら、本発明を製造して使用する方法が詳細に説明される。本発明の多様な実施形態が説明されるが、請求範囲に記載されていない限り、そのような実施形態は本発明を限定するものではないことに留意すべきである。
【００２９】
ユーザのジェスチャーは、例えば、左手と右手の指（ｆｉｎｇｅｒ）（特に、人差し指）または親指（ｔｈｕｍｂ）を用いて、タッチスクリーン上に情報を表示したり、制御するユーザの動作として、タッチ（ｔｏｕｃｈ）、タッチの解除（ｒｅｌｅａｓｅ）、回転（ｒｏｔａｔｅ）、ピンチ（ｐｉｎｃｈ）、スプレッド（ｓｐｒｅａｄ）、タッチドラッグ（ｔｏｕｃｈ  ｄｒａｇ）、フリック（ｆｌｉｃｋ）、スワイプ（ｓｗｉｐｅ）、タッチアンドホールド（ｔｏｕｃｈ  ａｎｄ  ｈｏｌｄ）等の動作を含んでよい。タッチした状態とは、タッチスクリーン上に指または親指が触れたか、実際に触れなくても極めて近くに接近していることを含んでよい。
【００３０】
本発明において、携帯用機器は、外部機器と接続されて情報を表示するタッチスクリーンを有する機器として、例えば、スマートフォン（Ｓｍａｒｔ  Ｐｈｏｎｅ）、携帯電話、タブレット（Ｔａｂｌｅｔ）、携帯用マルチメディア再生機器（Ｐｏｒｔａｂｌｅ  Ｍｕｌｔｉｍｅｄｉａ  Ｐｌａｙｅｒ：ＰＭＰ）、個人用の携帯情報端末（Ｐｅｒｓｏｎａｌ  Ｄｉｇｉｔａｌ  Ａｓｓｉｓｔａｎｔ：ＰＤＡ）等を含んでよい。なお、外部機器は、携帯用機器と接続されて情報を表示する機器として、例えば、デジタルテレビやスマートテレビ、パソコン等であってよく、上記携帯用機器の種類の一つであってよい。このとき、携帯用機器のスクリーンの大きさは、一般的に外部機器のスクリーンの大きさより小さくてよい。
【００３１】
図１は、本発明の一実施形態に係るシステムの構成を示す図である。
【００３２】
同図を参照すると、システム１は、外部機器１０と、タッチスクリーンを有する携帯用機器２０と、外部機器１０または携帯用機器２０に情報を提供するインターネット網３０とを含んでよい。インターネット網３０は、複数のルーターを含み、各ルーターには一つ以上のサーバ３１、３２、３３が接続されてよい。
【００３３】
外部機器１０は、スクリーン１１と、プロセッサ１２と、保存部１４および通信部１５を含んでよい。
【００３４】
スクリーン１１は、映像信号を提供されて映像を表示する機能を実行する。例えば、スクリーン１１は、デジタル放送、外部機器１０の保存部１４に保存されたコンテンツ、携帯用機器２０またはインターネット網３０を介して提供される情報等を表示することができる。なお、外部機器１０は、タッチセンサ（図示せず）を更に含み、スクリーン１１を介してユーザのジェスチャーを受信することができる。
【００３５】
プロセッサ１２は、外部機器１０の各構成要素に対する動作全般を制御する。例えば、以下、本発明の多様な実施形態の動作に必要な方法は、プログラムで実現され、保存部１４に保存されてよい。プロセッサ１２は、保存部１４のプログラムを読み取り、読み取られた結果に応じて、外部機器１０の各構成要素に対する動作を制御することができる。一方、プロセッサ１２は、インターネットブラウザモジュール１３を含んでよい。インターネットブラウザモジュール１３は、インターネット網３０を介して提供される情報を探索または管理する機能を実行してよい。例えば、インターネットブラウザモジュール１３は、インターネット網３０を介して接続されたウェブサーバ３１、３２、３３の情報を閲覧することができるようにする。なお、インターネットブラウザモジュール１３は、ウェブページの閲覧、最近アクセスしたインターネットアドレス（ＵＲＬ）の目録を提供、よくアクセスするインターネットアドレスの記憶および管理、ウェブページの保存および印刷等の機能を実行することができる。
【００３６】
携帯用機器２０は、タッチスクリーン２１と、プロセッサ２２と、保存部２４および通信部２５を含んでよい。
【００３７】
タッチスクリーン２１は、タッチセンサを含んでよい。タッチスクリーン２１は、映像信号を受信して映像を表示したり、前記タッチセンサを介してユーザのジェスチャーを受信することができる。
【００３８】
プロセッサ２２は、携帯用機器２０の各構成要素に対する動作全般を制御する。例えば、以下、本発明の多様な実施形態の動作に必要な方法は、プログラムで実現され、保存部２４に保存されてよい。プロセッサ２２は、保存部２４のプログラムを読み取り、読み取られた結果に応じて、携帯用機器２０の各構成要素に対する動作を制御することができる。一方、プロセッサ２２は、インターネットブラウザモジュール２３を含んでよい。インターネットブラウザモジュール２３は、インターネット網３０を介して提供される情報を探索または管理する機能を実行してよい。例えば、インターネットブラウザモジュール２３は、インターネット網３０を介して接続されたウェブサーバ３１、３２、３３の情報を閲覧することができるようにする。なお、インターネットブラウザモジュール２３は、ウェブページの閲覧、最近アクセスしたインターネットアドレス（ＵＲＬ）の目録を提供、よくアクセスするインターネットアドレスの記憶および管理、ウェブページの保存および印刷等の機能を実行することができる。
【００３９】
外部機器の通信部１５および携帯用機器の通信部２５は、例えば、無線ＬＡＮやブルートゥース（Ｂｌｕｅｔｏｏｔｈ（登録商標））、赤外線通信等を用いて相互通信できる。なお、外部機器の通信部１５の他、携帯用機器の通信部２５のうち、少なくとも一つは、インターネット網３０に接続されてウェブサーバ３１、３２、３３から情報を受信することができる。ここで、受信された情報は、ウェブページ、イメージ、動画、オーディオ、テキスト等のような多様な種類のコンテンツを含んでよい。このとき、受信した情報の一部は、別の情報と接続可能なリンク領域を含んでよい。例えば、リンク領域は、別のウェブページ、イメージ、動画、オーディオ、テキストのうちの一つを連結できるハイパーリンク（ｈｙｐｅｒｌｉｎｋ）が含まれた領域であってよい。
【００４０】
本発明の一実施形態として、外部機器の通信部１５と携帯用機器の通信部２５のいずれか一方がインターネット網３０に接続された場合、インターネット網３０に接続されたウェブサーバ３１，３２、３３から情報を受信した機器は、インターネット網３０に接続されていない機器に情報を再伝送することができる。この場合、外部機器の通信部１５と携帯用機器の通信部２５は、上記情報が外部機器のスクリーン１１と携帯用機器のタッチスクリーン２１上において、ほぼ同時に表示されるように同期化機能を実行することができる。別の一実施形態として、外部機器の通信部１５と携帯用機器の通信部２５のいずれもが、インターネット網３０に接続された場合、外部機器１０および携帯用機器２０の全ては、インターネット網３０から同一の情報を受信することができる。そして、各々の機器が受信した情報は、外部機器のスクリーン１１および携帯用機器のタッチスクリーン２１上に表示されてよい。この場合、外部機器の通信部１５と携帯用機器の通信部２５は、前記情報が外部機器のスクリーン１１と携帯用機器のタッチスクリーン２１上において、ほぼ同時に表示されるように同期化機能を実行することができる。
【００４１】
図２Ａおよび図２Ｂは、本発明の一実施形態に係る外部機器１０および携帯用機器２０が情報を表示する図である。
【００４２】
図２Ａを参照すると、外部機器のスクリーン１１上に表示された情報の一部領域２０２が携帯用機器のタッチスクリーン２１上に表示されてよい。このとき、スクリーン１１上には、タッチスクリーン２１と同期化された領域である一部領域２０２を示す仮想ウィンドウ２０４が表示されてよい。仮想ウィンドウ２０４は、スクリーン１１上で異なる明暗または異なる背景色を有してよい。仮想ウィンドウ２０４は、普段は、スクリーン１１の中央に位置してよい。しかし、ユーザのジェスチャーによって仮想ウィンドウ２０４の位置が異なる場合、スクリーン１１上の情報が別の情報に変換される度に、再度スクリーン１１の中央に位置してよい。仮想ウィンドウ２０４の領域の大きさは、製品発売またはアプリケーションの最初の実行時に予め設定されていてよいが、ユーザが任意に調節することもできる。なお、仮想ウィンドウ２０４は、普段は表示されないが、携帯用機器２０のタッチスクリーン２１上にユーザのジェスチャーを検知する場合にのみ表示されてよい。そして、仮想ウィンドウ２０４は、それ以上ユーザのジェスチャーが検知されなければ、所定の時間が経った後に自動的に消えてよい。
【００４３】
図２Ｂを参照すると、外部機器のスクリーン１１上に表示された情報の全部２２２が携帯用機器のタッチスクリーン２１上に表示されてよい。このとき、スクリーン１１上に仮想ウィンドウ２０４が表示されずに、タッチスクリーン２１上には、スクリーン１１上に表示された情報２２２が同様に表示されてよい。
【００４４】
図３は、本発明の一実施形態に係る外部機器１０のスクリーン上に表示された情報を探索する携帯用機器２０のモードを示す図である。
【００４５】
図３の３２０を参照すると、携帯用機器２０は、タッチスクリーン２１上に外部機器のスクリーン１１上に表示された情報の一部領域３０２を表示する第１モードを提供することができる。第１モードが選択された場合、携帯用機器２０はタッチスクリーン２１上にユーザの第１ジェスチャーに応答し、外部機器１０のスクリーン１１上に表示されたウェブページを一方向に移動する情報を外部機器１０に伝送することができる。よって、ユーザは、タッチスクリーン２１上に表示された情報を用いて、スクリーン１１上に表示された情報を探索することができる。このとき、探索のためのタッチスクリーン２１上にユーザのジェスチャーは、例えば、タッチスクリーン２１およびスクリーン１１上に情報を移動するジェスチャー（例えば、フリックジェスチャー、タッチドラッグジェスチャー）、情報を拡大または縮小するジェスチャー（例えば、ピンチジェスチャーまたはスプレッドジェスチャー）または選択するジェスチャー（例えば、タップジェスチャー等）を利用することができる。
【００４６】
図３の３４０を参照すると、携帯用機器２０は、タッチスクリーン２１上に外部機器のスクリーン１１上に表示された情報を提供することなく、外部機器のスクリーン１１上に表示された情報を探索する第２モードを提供することができる。第２探索モードが選択された場合、携帯用機器２０は、タッチスクリーン２１上にユーザの第１ジェスチャーに応答し、外部機器１０のスクリーン１１上に表示されたポインタを一方向に移動する情報を外部機器１０に伝送する。よって、ユーザは、探索のために、タッチスクリーン２１を見ずに、スクリーン１１を見ながらスクリーン１１上に情報を探索することができる。このとき、探索のためのユーザのジェスチャーは、例えば、スクリーン１１上に情報を移動するジェスチャー（例えば、フリックジェスチャー）、 情報を拡大または縮小するジェスチャー（例えば、ピンチジェスチャーまたはスプレッドジェスチャー）、スクリーン１１上に表示されたポインタを移動するジェスチャー（例えば、タッチドラッグジェスチャー）およびスクリーン１１上に表示された特定リンクを選択するジェスチャー（例えば、タップジェスチャー等）を含んでよい。
【００４７】
一方、タッチスクリーン２１上に外部機器のスクリーン１１に表示された情報を提供していない状態は、タッチスクリーン２１のオフ状態、前記表示された情報がよく見えないように暗く提供される状態、および前記表示された情報に関連のない情報を提供する状態のうち、少なくとも一つを含んでよい。
【００４８】
図３の３６０を参照すると、携帯用機器２０は、外部機器１０との同期化過程を経ることなく、タッチスクリーン２１上にウェブサーバ３１、３２、３３から受信された情報または予め保存されている情報を表示する第３モードを提供することができる。この場合、外部機器１０と携帯用機器２０とが相互同期化されていないため、タッチスクリーン２１上にユーザのジェスチャーは、外部機器のスクリーン１０上に表示された情報に影響を与えない。
【００４９】
図３の３２０の第１モード、図３の３４０の第２モード、図３の３６０の第３モードは、予め定義されたユーザのジェスチャーによって相互転換されてよい。例えば、第１モードでタッチスクリーン２１上にユーザの複数個のタッチ地点に対するタッチジェスチャー３２４を同時に入力し、第１時間（例えば、２秒）以上維持されると、携帯用機器２０は、第１モードから第２モードにモード切り替えを行うことができる。逆に、第２モードでタッチスクリーン２１上にユーザの複数個のタッチ地点に対するタッチジェスチャー３４４を同時に入力し、第１時間（例えば、２秒）以上維持されると、携帯用機器２０は、第２モードから第１モードにモード切り替えを行うことができる。
【００５０】
別の例として、第２モードでタッチスクリーン２１上にユーザの複数個のタッチ地点に対するタッチジェスチャー３４４を同時に入力し、第３時間（例えば、４秒）以上維持されると、携帯用機器２０は、第２モードから第３モードにモード切り替えを行うことができる。逆に、第３モードでタッチスクリーン２１上にユーザの複数個のタッチ地点に対するタッチジェスチャー３６４を同時に入力し、第２時間（例えば、４秒）以上維持されると、携帯用機器２０は、第３モードから第２モードにモード切り替えを行うことができる。
【００５１】
更に別の例として、第３モードでタッチスクリーン２１上にユーザの複数個のタッチ地点に対するタッチジェスチャー３６４を同時に入力し、第３時間（例えば、６秒）以上維持されると、携帯用機器２０は、第３モードから第１モードにモード切り替えを行うことができる。逆に、第１モードでタッチスクリーン２１上にユーザの複数個のタッチ地点に対するタッチジェスチャー３２４を同時に入力し、第３時間（例えば、６秒）以上維持されると、携帯用機器２０は、第１モードから第３モードにモード切り替えを行うことができる。
【００５２】
ここで、第１時間、第２時間、第３時間の時間の長さは、互いに入れ替わってよく、モード間の切り替えのために、複数個のタッチおよびホールドするジェスチャーの他に、別のジェスチャーを利用することは、当該技術分野で通常の知識を有する者にとって周知となっている。
【００５３】
なお、上述の実施形態においては、タッチ時間に応じて、第１モードと第２モードとの間の切り替え、第２モードと第３モードとの間の切り替えおよび第３モードと第１モードとの間の切り替えが行われたが、それは一実施形態に過ぎず、携帯用機器２０の外部に具備されたボタンまたは携帯用機器２０に表示されたメニュー等を用いてモード切り替えを行うことができる。
【００５４】
図４Ａないし図４Ｂは、本発明の一実施形態に係る携帯用機器２０を用いて外部機器１０に表示された情報を探索する過程を示す図である。一方、図４Ａおよび図４Ｂは、図３において説明した携帯用機器２０のモードのうち、第１モードの状態で外部機器１０に表示された情報を探索する過程を説明するための図である。
【００５５】
図４Ａを参照すると、携帯用機器２０のタッチスクリーン２１上に外部機器１０のスクリーン１１上に表示された情報の一部４０２が表示された場合、タッチスクリーン２１上に一方向へのユーザのジェスチャー４１４（例えば、フリックジェスチャーまたはタッチドラッグジェスチャー）に応答し、携帯用機器２０は外部機器１０のスクリーン１１上に表示された情報を一方向に移動する情報を外部機器１０に伝送することができる。例えば、携帯用機器２０は、タッチスクリーン２１上にユーザのジェスチャー４１４に関連する情報（例えば、ジェスチャーの種類、ジェスチャーのタッチ位置、ジェスチャーの移動方向、ジェスチャー移動距離、ジェスチャーの移動速度等）を外部機器１０に伝送することができる。そして、携帯用機器２００は、同時に前記一方向へのユーザのジェスチャー４１４に応答し、ユーザのジェスチャーに応じて、タッチスクリーン２１上にスクリーン１１上に表示された情報の別の一部領域４２２を表示することができる。
【００５６】
外部機器１０は、携帯用機器２０から前記ユーザのジェスチャー４１４に関連する情報を受信し、前記ユーザのジェスチャー４１４に対応して外部機器１０のスクリーン１１上に表示された情報を一方向に移動することができる。このとき、スクリーン１１上に表示された仮想ウィンドウ４０４の位置は、ユーザのジェスチャー４１４に関係なく固定されてよく、仮想ウィンドウ４０４内の情報が新たな情報４２２に変わってよい。
【００５７】
一方、タッチスクリーン２１上に一方向へのユーザのジェスチャーに応答し、スクリーン１１上に表示された情報が一方向に移動されることにより、それ以上新たな情報を提供することができない境界まで到達することができる。この場合、図４Ｂに示すように、引き続きタッチスクリーン２１上に一方向にユーザのジェスチャー４５４を行う場合、スクリーン１１上に表示された情報は変わらないまま、タッチスクリーン２１上にスクリーン１１上に表示された情報の別の一部４６２が表示されてよい。このとき、スクリーン１１上に仮想ウィンドウ４４４の位置は、ユーザのジェスチャー４５４に応じて移動することができ、仮想ウィンドウ４４４内の情報が新たな情報４６２に変わってよい。
【００５８】
図５Ａないし図５Ｂは、本発明の別の一実施形態に係る携帯用機器２０を用いて外部機器１０に表示された情報を探索する過程を示す図である。一方、図５Ａおよび図５Ｂも、図３において説明した携帯用機器２０のモードのうち、第１モードである状態で外部機器１０に表示された情報を探索する過程を説明するための図である。
【００５９】
図５Ａを参照すると、携帯用機器２０のタッチスクリーン２１上に外部機器１０のスクリーン１１上に表示された情報の一部５０２が表示された場合、タッチスクリーン２１上に双方向へのユーザのジェスチャー５１４、５３４（例えば、スプレッドジェスチャー）に応答し、携帯用機器２０は外部機器１０のスクリーン１１上に表示された情報の大きさを拡大する情報を伝送することができる。例えば、携帯用機器２０は、タッチスクリーン２１上にユーザのジェスチャー５１３、５１４に関連する情報（例えば、ジェスチャーの種類、ジェスチャーのタッチ位置、ジェスチャーの速度、ジェスチャー移動距離、ジェスチャーの角度等）を外部機器１０に伝送することができる。または、携帯用機器２０は、タッチスクリーン２１上に表示された情報の大きさが拡大されることにより、表示された情報の特定領域の拡大される比率を伝送することができる。例えば、携帯用機器２０のタッチスクリーン２１上に特定領域の大きさが５０×５０ピクセルから１００×１００ピクセルに変更されると、携帯用機器２０は２倍に拡大される比率を外部機器１０に伝送することができる。そして、携帯用機器２０は、同時に前記双方向へのユーザのジェスチャー５１４、５３４に応答し、タッチスクリーン２１上には、スクリーン１１上に表示された情報が拡大された大きさの情報５２２で表示してよい。
【００６０】
外部機器１０は、携帯用機器２０からスクリーン１１上に表示された情報の大きさを拡大する情報を受信し、ユーザのジェスチャー５１４、５３４に対応して外部機器１０のスクリーン１１上に表示された情報を拡大して表示することができる。このとき、スクリーン１１上でタッチスクリーン２１上に表示される領域を示す仮想ウィンドウ５０４の位置は、ユーザのジェスチャー５１４、５３４に関係なく固定されてよく、仮想ウィンドウ５０４内の情報が拡大された大きさの情報５２２に変わってよい。
【００６１】
図５Ｂを参照すると、携帯用機器２０のタッチスクリーン２１上に外部機器１０のスクリーン１１上に表示された情報の一部５４２が表示された場合、タッチスクリーン２１上に双方向へのユーザのジェスチャー５５４、５７４（例えば、ピンチジェスチャー）に応答し、携帯用機器２０は外部機器１０のスクリーン１１上に表示された情報の大きさを縮小する情報を伝送することができる。例えば、携帯用機器２０は、タッチスクリーン２１上にユーザのジェスチャー５５４、５７４に関連する情報（例えば、ジェスチャーの種類、ジェスチャーのタッチ位置、ジェスチャーの速度、ジェスチャー移動距離、ジェスチャーの角度等）を外部機器１０に伝送することができる。または、携帯用機器２０は、タッチスクリーン２１上に表示された情報の大きさが縮小されることにより、表示された情報の特定領域の縮小される比率を伝送することができる。例えば、携帯用機器２０のタッチスクリーン２１上に特定領域の大きさが１００×１００ピクセルから５０×５０ピクセルに変更されると、携帯用機器２０は２倍に縮小される比率を外部機器１０に伝送することができる。そして、携帯用機器２０は、同時に前記双方向へのユーザのジェスチャー５５４、５７４に応答し、タッチスクリーン２１上には、スクリーン１１上に表示された情報が縮小された大きさの情報５６２で表示してよい。
【００６２】
外部機器１０は、携帯用機器２０からスクリーン１１上に表示された情報の大きさを縮小する情報を受信し、ユーザのジェスチャー５５４、５７４に対応して外部機器１０のスクリーン１１上に表示された情報を縮小して表示することができる。このとき、スクリーン１１上でタッチスクリーン２１上に表示される領域を示す仮想ウィンドウ５４４の位置は、ユーザのジェスチャー５５４、５７４に関係なく固定されてよく、仮想ウィンドウ５４４内の情報が縮小された大きさの情報５６２に変わってよい。
【００６３】
図６Ａないし図６Ｂは、本発明の別の一実施形態に係る携帯用機器２０を用いて外部機器１０に表示された情報を探索する過程を示す図である。一方、図６Ａおよび図６Ｂも、図３において説明した携帯用機器２０のモードのうち、第１モードである状態で外部機器１０に表示された情報を探索する過程を説明するための図である。
【００６４】
図６Ａを参照すると、携帯用機器２０のタッチスクリーン２１上に外部機器１０のスクリーン１１上に表示された情報の一部６０２が表示された場合、タッチスクリーン２１上に双方向へのユーザのジェスチャー６１４、６３４（例えば、スプレッドジェスチャー）に応答し、携帯用機器２０は外部機器１０のスクリーン１１上に仮想ウィンドウ６０４の大きさを縮小する情報を伝送することができる。例えば、携帯用機器２０は、タッチスクリーン２１上にユーザのジェスチャー６１４、６３４に関連する情報（例えば、ジェスチャーの種類、ジェスチャーのタッチ位置、ジェスチャーの速度、ジェスチャー移動距離、ジェスチャーの角度等）を外部機器１０に伝送することができる。または、携帯用機器２０は、タッチスクリーン２１上に表示された情報の大きさが拡大されることにより、スクリーン１１上に表示された仮想ウィンドウ６０４が縮小される比率を伝送することができる。そして、携帯用機器２０は、同時に前記双方向へのユーザのジェスチャー６１４、６３４に応答し、タッチスクリーン２１上にスクリーン１１上に表示された情報が拡大された大きさの情報６３２で表示することができる。
【００６５】
そして、外部機器１０は、携帯用機器２０から仮想ウィンドウ６２４の大きさを縮小する情報を受信し、ユーザのジェスチャー６１４、６３４に関係なく既存の表示された情報を維持することができる。ただ、外部機器１０は、スクリーン１１上でタッチスクリーン２１上に表示された領域を示す仮想ウィンドウ６０４は、ユーザのジェスチャー６１４、６３４に応じて縮小された大きさの仮想ウィンドウ６２４で示してよい。
【００６６】
図６Ｂを参照すると、携帯用機器２０のタッチスクリーン２１上に外部機器１０のスクリーン１１上に表示された情報の一部６４２が表示された場合、タッチスクリーン２１上に双方向へのユーザのジェスチャー６５４、６７４（例えば、ピンチジェスチャー）に応答し、携帯用機器２０は外部機器１０のスクリーン１１上に仮想ウィンドウ６４４の大きさを拡大する情報を伝送することができる。例えば、携帯用機器２０は、タッチスクリーン２１上にユーザのジェスチャー６５４、６７４に関連する情報（例えば、ジェスチャーの種類、ジェスチャーのタッチ位置、ジェスチャーの速度、ジェスチャー移動距離、ジェスチャーの角度等）を外部機器１０に伝送することができる。または、携帯用機器２０は、タッチスクリーン２１上に表示された情報の大きさが縮小されることにより、スクリーン１１上に表示された仮想ウィンドウ６４４が拡大される比率を伝送することができる。そして、携帯用機器２０は、同時に前記双方向へのユーザのジェスチャー６５４、６７４に応答し、タッチスクリーン２１上にスクリーン１１上に表示された情報が縮小された大きさの情報６７２で表示することができる。
【００６７】
そして、外部機器１０は、携帯用機器２０から仮想ウィンドウ６２４の大きさを拡大する情報を受信し、ユーザのジェスチャー６５４、６７４に関係なく既存の表示された情報を維持することができる。ただ、外部機器１０は、スクリーン１１上でタッチスクリーン２１上に表示された領域を示す仮想ウィンドウ６４４は、ユーザのジェスチャー６５４、６７４に応じて拡大された大きさの仮想ウィンドウ６６４で示してよい。
【００６８】
図７は、本発明の別の一実施形態に係る携帯用機器２０を用いて外部機器１０に表示された情報を探索する過程を示す図である。一方、図７も、図３において説明した携帯用機器２０のモードのうち、第１モードである状態で外部機器１０に表示された情報を探索する過程を説明するための図である。
【００６９】
同図を参照すると、携帯用機器２０のタッチスクリーン２１上に外部機器１０のスクリーン１１上に表示された情報の一部７０２が表示され、前記情報の一部７０２がリンク領域７０３を含む場合、前記タッチスクリーン２１上に表示されたリンク領域７０３上にユーザのジェスチャー７１４、７３４（例えば、タップジェスチャー）に応答し、携帯用機器２０は、外部機器１０にリンク領域７０３に連結されたウェブページを外部機器１０のスクリーン１１上に表示する情報を外部機器１０に伝送することができる。このとき、リンク領域７０３に連結されたウェブページを外部機器１０のスクリーン１１上に表示する情報は、ユーザの第２ジェスチャーに関する情報またはリンク領域７０３に関する情報であってよい。例えば、携帯用機器２０は、ユーザの第２ジェスチャーに関する情報（例えば、ジェスチャーの種類、ジェスチャーのタッチ位置等）またはリンク領域７０３に関する情報（例えば、ウェブページアドレス等）を外部機器１０に伝送することができる。そして、同時に前記ユーザのジェスチャー７１４、７３４に応答し、携帯用機器２０は、タッチスクリーン２１上に情報または前記リンク領域に連結された情報７２１に転換してよい。
【００７０】
外部機器１０は、携帯用機器２０からリンク領域７０３に連結されたウェブページを外部機器１０のスクリーン１１上に表示する情報を受信し、リンク領域７０３に連結されたウェブページをアクセスして表示することができる。このとき、仮想ウィンドウ７０４の位置は、スクリーン１１上に表示された情報が前記連結された情報７２１に転換される度に、スクリーン１１の中央に位置してよい。
【００７１】
図８Ａないし図８Ｃは、本発明の更に別の実施形態に係る携帯用機器を用いて外部機器に表示された情報を探索する過程を示す図である。
【００７２】
図８Ａを参照すると、外部機器１０のスクリーン１１上に表示された情報の一部８０２およびリンク領域８０３が含まれた場合、携帯用機器２０のタッチスクリーン２１上に一方向へのユーザのジェスチャー８１４、８３４（例えば、フリックジェスチャーまたはタッチドラッグジェスチャー）に応答し、スクリーン１１上に表示された情報が一方向に移動されてよい。そして、同時に前記ユーザのジェスチャー８１４、８３４に応答し、スクリーン１１上に表示されたリンク領域８０３が表示されてよい。
【００７３】
図８Ｂを参照すると、スクリーン１１上に表示された情報の少なくとも一部８０２および前記少なくとも一部に含まれたリンク領域８０３が表示された場合、タッチスクリーン２１上でユーザのジェスチャー８５４、８７４（例えば、スプレッドジェスチャー）に応答し、スクリーン１１上に表示された情報の一部８０２および前記一部８０２に含まれたリンク領域８０３が拡大されてよい。そして、同時にタッチスクリーン２１上に表示された情報の一部８０２および前記少なくとも一部に含まれたリンク領域８０３が拡大されてよい。
【００７４】
図８Ｃを参照すると、スクリーン１１上に拡大された情報の一部８０２および拡大されたリンク領域８０３が表示された場合、タッチスクリーン２１上に前記拡大されたリンク領域８０３上におけるユーザのジェスチャー８９４（例えば、タップジェスチャー）に応答し、前記スクリーン１１上に表示された情報が前記リンク領域８０３に連結された情報８０５（例えば、リンクされたウェブページ）に転換されてよい。このとき、仮想ウィンドウ８０４の位置は、スクリーン１１上に表示された情報が前記連結された情報に転換される度に、スクリーン１１の中央に位置してよい。
【００７５】
上述のような本発明の多様な実施形態により、タッチスクリーンを含む携帯用機器を用いて外部機器のスクリーン上に表示された情報を迅速かつ便利に探索することができる。
【００７６】
以下においては、図９ないし図１２を参照し、本発明の一実施形態に係る外部機器１０および携帯用機器２０を用いて、外部機器１０のスクリーン１１上にウェブページを探索する方法について説明する。図９は、本発明の一実施形態に係るタッチスクリーン２１を含む携帯用機器２０が外部機器１０のスクリーン１１上に表示されたウェブページを探索する方法を説明するためのフローチャートである。
【００７７】
まず、携帯用機器２０は、タッチスクリーン２１上に外部機器１０のスクリーン上に表示されたウェブページに含まれたリンク領域を表示する（Ｓ９１０）。このとき、携帯用機器２０および外部機器１０は、相互同期化されており、外部機器１０は、携帯用機器２０のタッチスクリーン２１上に表示された領域に、図２Ａに示すように、仮想ウィンドウを表示することができる。
【００７８】
そして、携帯用機器２０は、タッチスクリーン２１を介してユーザの第１ジェスチャーを検知する（Ｓ９２０）。このとき、ユーザの第１ジェスチャーは、二つのタッチ地点の距離が遠くなるスプレッドジェスチャーであってよい。
【００７９】
ユーザの第１ジェスチャーが検知されると（Ｓ９２０−Ｙ）、携帯用機器２０は第１ジェスチャーに応答し、タッチスクリーン上に表示されたリンク領域を拡大する（Ｓ９３０）。このとき、携帯用機器２０は、リンク領域を拡大する情報を外部機器１０に伝送し、外部機器１０も、図５Ａまたは図６Ａのように、ディスプレイ画面を変更する。
【００８０】
そして、携帯用機器２０は、タッチスクリーン２１を介してユーザの第２ジェスチャーを検知する（９４０）。このとき、ユーザの第２ジェスチャーはリンク領域をタッチするタップジェスチャーであってよい。
【００８１】
ユーザの第２ジェスチャーが検知されると（９４０−Ｙ）、携帯用機器２０は第２ジェスチャーに応答し、リンク領域に連結されたウェブページを外部機器１０のスクリーン上に表示する情報を外部機器１０に伝送する（Ｓ９５０）。このとき、リンク領域に連結されたウェブページを外部機器１０のスクリーン１１上に表示する情報は、ユーザの第２ジェスチャーに関する情報またはリンク領域７０３に関する情報であってよい。例えば、携帯用機器２０は、ユーザの第２ジェスチャーに関する情報（例えば、ジェスチャーの種類、ジェスチャーのタッチ位置等）またはリンク領域７０３に関する情報（例えば、ウェブページアドレス等）を外部機器１０に伝送することができる。そして、同時に前記ユーザの第２ジェスチャーに応答し、携帯用機器２０はタッチスクリーン２１上に情報も、前記リンク領域に連結された情報７２１に転換してよい。そして、外部機器１０も、携帯用機器２０からリンク領域に連結されたウェブページを外部機器１０のスクリーン１１上に表示する情報を受信し、リンク領域に連結されたウェブページをアクセスして表示することができる。
【００８２】
図１０は、本発明の別の実施形態に係るタッチスクリーン２１を含む携帯用機器２０が外部機器１０のスクリーン１１上に表示されたウェブページを探索する方法を説明するためのフローチャートである。
【００８３】
まず、携帯用機器２０は、タッチスクリーン２１上に外部機器１０のスクリーン上に表示されたウェブページの一部を表示する（Ｓ１０１０）。このとき、ウェブページの一部には、別のウェブページとリンクされたリンク領域が含まれてよい。
【００８４】
そして、携帯用機器２０は、ユーザの第１ジェスチャーが検知されたか否かを判断する（Ｓ１０２０）。このとき、ユーザの第１ジェスチャーは、二つのオブジェクト（例えば、ユーザの２つの指）の距離が遠くなるスプレッドジェスチャーであってよい。
【００８５】
携帯用機器２０にユーザの第１ジェスチャーが検知されると、携帯用機器２０は、外部機器１０のスクリーン１１上に表示されたウェブページの一部を拡大する情報を外部機器１０に伝送する（Ｓ１０３０）。
【００８６】
一方、本発明の一実施形態においては、ユーザの第１ジェスチャーが検知されると、携帯用機器２０が外部機器１０でウェブページの一部を拡大する情報を伝送するものとして説明しているが、それは一実施形態に過ぎず、タッチスクリーン２１上にユーザの第２ジェスチャー（例えば、ピンチジェスチャー）が検知されると、携帯用機器２０が外部機器１０でウェブページの一部を縮小する情報を伝送することができる。
【００８７】
図１１は、本発明の一実施形態に係るモードに応じて異なるように外部機器１０のスクリーン１１上に表示されたウェブページを探索する方法を説明するためのフローチャートである。
【００８８】
まず、携帯用機器２０は、外部機器１０のスクリーン１１上に表示されたウェブページを探索する探索モード選択のための第１ジェスチャーを入力される（Ｓ１１１０）。このとき、探索モード選択のための第１ジェスチャーは、二つのタッチ移転を同時にタッチするジェスチャーであってよい。
【００８９】
そして、第１ジェスチャーが入力されると（Ｓ１１１０−Ｙ）、携帯用機器２０は探索モードが第１探索モードに選択されたか否かを判断する（Ｓ１１２０）。携帯用機器２０が探索モードを選択する方法は、図３において説明しているため、詳細な説明は省略する。このとき、携帯用機器２０は、第１ジェスチャーに応じて第１探索モードまたは第２探索モードのいずれか一方を選択することができる。しかし、それは一実施形態に過ぎず、別の探索モードが選択されてよい。
【００９０】
第１探索モードが選択された場合（Ｓ１１２０−Ｙ）、携帯用機器２０は、第２ジェスチャーが入力されたか否かを判断する（Ｓ１１３０）。このとき、第２ジェスチャーはドラッグジェスチャーであってよい。
【００９１】
第２ジェスチャーが入力された場合（Ｓ１１３０−Ｙ）、携帯用機器２０は外部機器１０のスクリーン１１上に表示されたウェブページを一方向に移動する情報を外部機器１０に伝送する（Ｓ１１４０）。このとき、外部機器１０のスクリーン１１上に表示されたウェブページを移動する方法に対する情報は、第２ジェスチャー方向に対応してよい。
【００９２】
しかし、第１探索モードが選択されていない場合（Ｓ１１２０−Ｎ）、携帯用機器２０は第２探索モードに選択する（Ｓ１１５０）。
【００９３】
そして、携帯用機器２０は、第２ジェスチャーが入力されたか否かを判断する（Ｓ１１６０）。このとき、第２ジェスチャーはドラックジェスチャーであってよい。
【００９４】
第２ジェスチャーが入力されると、携帯用機器２０は外部機器１０のスクリーン１１上に表示されたポインタを一方向に移動する情報を外部機器１０に伝送する（Ｓ１１７０）。
【００９５】
図１２は、本発明の一実施形態に係る携帯用機器２０によって制御される外部機器１０のウェブページを探索する方法を説明するためのフローチャートである。
【００９６】
まず、外部機器１０は、スクリーン１０上に携帯用機器２０にディスプレイされた画面を含むウェブページをディスプレイする（Ｓ１２１０）。このとき、外部機器１０は、携帯用機器２０からウェブページに対する情報を受信することができる。
【００９７】
そして、外部機器１０は、携帯用機器２０に対するユーザの第１ジェスチャーに応答し、携帯用機器２０からスクリーン上に表示されたリンク領域を含むウェブページを拡大する情報を受信するか否かを判断する（Ｓ１２２０）。このとき、ユーザの第１ジェスチャーは、スプレッドジェスチャーであってよい。
【００９８】
携帯用機器２０からウェブページを拡大する情報を受信すると（Ｓ１２２０−Ｙ）、外部機器１０は受信されたウェブページを拡大する情報に応じてスクリーン１１に表示されたウェブページを拡大する（Ｓ１２３０）。
【００９９】
しかし、それは一実施形態に過ぎず、携帯用機器２０に対するユーザの第２ジェスチャーに応答し、携帯用機器２０からスクリーン１１上に表示されたリンク領域を含むウェブページを縮小する情報が受信されると、外部機器１０は受信されたウェブページを縮小する情報に応じてスクリーン１１に表示されたウェブページを縮小することもできる。
【０１００】
上述のように、携帯用機器２０および外部機器１０を用いて外部機器１０に表示されたウェブページを検知することにより、ユーザは外部機器のスクリーン上に表示された情報をより迅速かつ便利に探索することができる。
【０１０１】
本発明の実施形態に係る情報表示機器の情報表示方法は、多様なコンピュータ手段を通じて実行できるプログラム命令形態で実現され、コンピュータ読み取り可能な媒体に記録されてよい。前記コンピュータ読み取り可能な媒体は、プログラム命令、データファイル、データ構造等を単独でまたは組み合わせて含んでよい。前記媒体に記録されるプログラム命令は、本発明のために特別に設計されて構成されたものか、コンピュータソフトウェア当業者に公知となって、使用可能なものであってよい。コンピュータ読み取り可能な媒体の例としては、ハードディスク、フロッピー（登録商標）ディスクおよび磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、ＲＯＭ、ＲＡＭ、フラッシュメモリ等のようなプログラム命令を保存し、行うように特にに構成されたハードウェア機器が含まれる。プログラム命令の例には、コンパイラによって作られたような機械語コードだけでなく、インタプリタ等を使ってコンピュータによって実行される高級言語コードを含む。上記のハードウェア機器は、本発明の動作を実行するために一つ以上のソフトウェアモジュールとして作動するように構成されてよく、その逆も可能である。
【０１０２】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１０３】
１０    外部機器
１１    スクリーン
１２    プロセッサ
１３    インターネットブラウザモジュール
１４    保存部
１５    通信部
２０    携帯用機器
２１    タッチスクリーン
２２    プロセッサ
２３    インターネットブラウザモジュール
２４    保存部
２５    通信部
３０    インターネット網
３１，３２，３３    ウェブサーバ
【図１】
2013229026.tif 000003
【図２Ａ】
2013229026.tif 000004
【図２Ｂ】
2013229026.tif 000005
【図３】
2013229026.tif 000006
【図４Ａ】
2013229026.tif 000007
【図４Ｂ】
2013229026.tif 000008
【図５Ａ】
2013229026.tif 000009
【図５Ｂ】
2013229026.tif 000010
【図６Ａ】
2013229026.tif 000011
【図６Ｂ】
2013229026.tif 000012
【図７】
2013229026.tif 000013
【図８Ａ】
2013229026.tif 000014
【図８Ｂ】
2013229026.tif 000015
【図８Ｃ】
2013229026.tif 000016
【図９】
2013229026.tif 000017
【図１０】
2013229026.tif 000018
【図１１】
2013229026.tif 000019
【図１２】
2013229026.tif 000020